【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
構造体を基礎に対して支持するための構造体支持構造であって、
構造体に固定される上部案内部材と、
上部案内部材の下方に位置し基礎に支持される中間案内部材と、
を備え、
水平面内で一対の仮想の軸であるＸ軸とＹ軸とが直交し、
前記上部案内部材に形成された下向きの面であるＸ軸摺動面と前記中間案内部材に形成された上向きの面であるＸ軸摺動面とが摺動してＸ軸に沿って相対移動でき、
前記Ｘ軸摺動面はＹ軸に沿って並列して位置する左右一対のＸ軸一方向摺動面とＹ軸に沿って並列して位置する左右一対のＸ軸逆方向摺動面とを含み、
左右一対の前記Ｘ軸一方向摺動面はＸ軸に沿って共に一方の方向に移るに従って上向きに各々に傾斜し且つＹ軸に沿って互いの反対方向に各々に傾斜し、
左右一対の前記Ｘ軸逆方向摺動面はＸ軸に沿って共に逆の方向に移るに従って上向きに各々に傾斜し且つＹ軸に沿って互いの反対方向に各々に傾斜する、
ことを特徴とする構造体支持構造。
【請求項２】
左右一対の前記Ｘ軸一方向摺動面はＸ軸に沿って共に一方の方向に移るに従って傾斜角θｘ１で上向きに各々に傾斜し且つＹ軸に沿って互いの反対方向に傾斜角ηｘ１で各々に傾斜し、
左右一対の前記Ｘ軸逆方向摺動面はＸ軸に沿って共に逆の方向に移るに従って傾斜角θｘ２で上向きに各々に傾斜し且つＹ軸に沿って互いの反対方向に傾斜角ηｘ２で各々に傾斜し、
傾斜角θｘ１、傾斜角θｘ２は、前記Ｘ軸摺動面の摩擦角より小さく、
ことを特徴とする請求項１に記載の構造体支持構造。
【請求項３】
前記上部案内部材が左右一対の下向きの前記Ｘ軸一方向摺動面を各々に形成する左右一対の上部Ｘ軸一方向摺動部材と左右一対の下向きの前記Ｘ軸面逆方向摺動面を各々に形成する左右一対の上部Ｘ軸逆方向摺動部材とを有し、
前記中間案内部材が左右一対の上向きの前記Ｘ軸一方向摺動面を各々に形成する左右一対の中間Ｘ軸一方向摺動部材と左右一対の上向きのＸ軸逆方向摺動面を各々に形成する左右一対の中間Ｘ軸逆方向摺動部材とを有し、
左右一対の前記上部Ｘ軸一方向摺動部材と左右一対の前記上部Ｘ軸逆方向摺動部材とがＹ軸に沿って離れる様に間に隙間を設けられ、
左右一対の前記中間Ｘ軸一方向摺動部材と左右一対の前記中間Ｘ軸逆方向摺動部材とがＹ軸に沿って離れる様に間に隙間を設けられる、
ことを特徴とする請求項１に記載の構造体支持構造。
【請求項４】
構造体を基礎に対して支持するための構造体支持構造であって、
構造体に固定される上部案内部材と、
上部案内部材の下方に位置し基礎に支持される下部案内部材と、
前記上部案内部材と前記下部案内部材との間に位置する中間案内部材と、
を備え、
水平面内で一対の仮想の軸であるＸ軸と仮想とが直交し、
前記上部案内部材に形成された下向きの面であるＸ軸摺動面と前記中間案内部材に形成された上向きの面であるＸ軸摺動面とが摺動してＸ軸に沿って相対移動でき、、
前記中間案内部材に形成された下向きの面であるＹ軸摺動面と前記下部案内部材に形成された上向きの面であるＹ軸摺動面とが摺動してＹ軸に沿って相対移動でき、
前記Ｘ軸摺動面はＹ軸に沿って並列して位置する左右一対のＸ軸一方向摺動面とＹ軸に沿って並列して位置する左右一対のＸ軸逆方向摺動面とを含み、左右一対の前記Ｘ軸一方向摺動面はＸ軸に沿って共に一方の方向に移るに従って上向きに各々に傾斜し且つＹ軸に沿って互いの反対方向に各々に傾斜し、
左右一対の前記Ｘ軸逆方向摺動面はＸ軸に沿って共に逆の方向に移るに従って上向きに各々に傾斜し且つＹ軸に沿って互いの反対方向に各々に傾斜し、
前記Ｙ軸摺動面はＸ軸に沿って並列して位置する左右一対のＹ軸一方向摺動面とＸ軸に沿って並列して位置する左右一対のＹ軸逆方向摺動面とを含み、
左右一対の前記Ｙ軸一方向摺動面はＹ軸に沿って共に一方の方向に移るに従って上向きに各々に傾斜し且つＸ軸に沿って互いの反対方向に各々に傾斜し、
左右一対の前記Ｙ軸逆方向摺動面はＹ軸に沿って共に逆の方向に移るに従って上向きに各々に傾斜し且つＸ軸に沿って互いの反対方向に各々に傾斜する、
ことを特徴とする構造体支持構造。
【請求項５】
左右一対の前記Ｘ軸一方向摺動面はＸ軸に沿って共に一方の方向に移るに従って傾斜角θｘ１で上向きに各々に傾斜し且つＹ軸に沿って互いの反対方向に傾斜角ηｘ１で各々に傾斜し、
左右一対の前記Ｘ軸逆方向摺動面はＸ軸に沿って共に逆の方向に移るに従って傾斜角θｘ２で上向きに各々に傾斜し且つＹ軸に沿って互いの反対方向に傾斜角ηｘ２で各々に傾斜し、
左右一対の前記Ｙ軸一方向摺動面はＹ軸に沿って共に一方の方向に移るに従って傾斜角θｙ１で上向きに各々に傾斜し且つＸ軸に沿って互いの反対方向に傾斜角ηｙ１で各々に傾斜し、
左右一対の前記Ｙ軸逆方向摺動面はＹ軸に沿って共に逆の方向に移るに従って傾斜角θｙ２で上向きに各々に傾斜し且つＸ軸に沿って互いの反対方向に傾斜角ηｙ２で各々に傾斜し、
傾斜角θｘ１、傾斜角θｘ２は傾斜角ηｙ１、傾斜角ηｙ２より小さく、
傾斜角θｙ１、傾斜角θｙ２は傾斜角ηｘ１、傾斜角ηｘ２より小さい、
ことを特徴とする請求項４に記載の構造体支持構造。
【請求項６】
前記上部案内部材が左右一対の下向きの前記Ｘ軸一方向摺動面を各々に形成する左右一対の上部Ｘ軸一方向摺動部材と左右一対の下向きの前記Ｘ軸面逆方向摺動面を各々に形成する左右一対の上部Ｘ軸逆方向摺動部材とを有し、
前記中間案内部材が左右一対の上向きの前記Ｘ軸一方向摺動面を各々に形成する左右一対の中間Ｘ軸一方向摺動部材と左右一対の上向きのＸ軸逆方向摺動面を各々に形成する左右一対の中間Ｘ軸逆方向摺動部材とを有し、
左右一対の前記上部Ｘ軸一方向摺動部材と左右一対の前記上部Ｘ軸逆方向摺動部材とがＹ軸に沿って離れる様に間に隙間を設けられ、
左右一対の前記中間Ｘ軸一方向摺動部材と左右一対の前記中間Ｘ軸逆方向摺動部材とがＹ軸に沿って離れる様に間に隙間を設けられ、
前記中間案内部材が左右一対の下向きの前記Ｙ軸一方向摺動面を各々に形成する左右一対の中間Ｙ軸一方向摺動部材と左右一対の下向きの前記Ｙ軸面逆方向摺動面を各々に形成する左右一対の中間Ｙ軸逆方向摺動部材とを有し、
前記下部案内部材が左右一対の上向きの前記Ｙ軸一方向摺動面を形成する左右一対の下部Ｙ軸一方向摺動部材と左右一対の上向きのＹ軸逆方向摺動面を各々に形成する左右一対の下部Ｙ軸逆方向摺動部材とを有し、
左右一対の前記中間Ｙ軸一方向摺動部材と左右一対の前記中間Ｙ軸逆方向摺動部材とがＸ軸に沿って離れる様に間に隙間を設けられ、
左右一対の前記下部Ｙ軸一方向摺動部材と左右一対の前記下部Ｙ軸逆方向摺動部材とがＸ軸に沿って離れる様に間に隙間を設けられ、
ことを特徴とする請求項４に記載の構造体支持構造。
【請求項７】
構造体を基礎に対して支持するための構造体支持構造であって、
構造体に固定される上部案内部材と、
上部案内部材の下方に位置し基礎に支持される中間案内部材と、
を備え、
水平面内で一対の仮想の軸であるＸ軸とＹ軸とが直交し、
前記上部案内部材に形成された下向きの面である前記Ｘ軸摺動面と前記中間案内部材に形成された上向きの面である前記Ｘ軸摺動面とが摺動してＸ軸に沿って相対移動でき、
前記Ｘ軸摺動面はＹ軸に沿って並列して位置する左右一対のＸ軸一方向摺動面を含み、
左右一対の前記Ｘ軸一方向摺動面はＹ軸に沿って互いの反対方向に各々に傾斜する、
ことを特徴とする構造体支持構造。
【請求項８】
左右一対の前記Ｘ軸一方向摺動面はＹ軸に沿って互いの反対方向に傾斜角ηｘ１で各々に傾斜し、
傾斜角ηｘ１は、Ｘ軸摺動面の摩擦角より大きい、
ことを特徴とする請求項７に記載の構造体支持構造。